(57)【要約】      （修正有）【課題】燃料補給管の製作のための、廉価な作製装置およびプロセスの利用を促進する。【解決手段】自動車用の燃料補給システム１０およびをその組立方法が提供される。燃料補給システムは、閉鎖装置アセンブリ１８および燃料補給管１２を備える。周方向のリム１６は、燃料補給管の第１の端部１４から半径方向外向きに延在する。当該リムは、非平面的な断面形状を有する。燃料補給システムはまた、閉鎖装置アセンブリの内面から延在する少なくとも１つのキャッチ部材２４を備える。封止部材３４は、閉鎖装置アセンブリの一部を取り囲み、少なくとも１つのキャッチ部材から軸方向に離間される。閉鎖装置アセンブリが燃料補給管に連結された後に、周方向のリムは、少なくとも１つのキャッチ部材と封止部材との間に軸方向に挟持される。【選択図】図２
2015071408.tif 000002
【特許請求の範囲】
【請求項１】
自動車用の燃料補給システムであって、
管端部および長手方向の軸を含む燃料補給管と、
前記管端部と連結可能な閉鎖装置アセンブリと、
前記管端部から半径方向外向きに延在し且つ非平面的な断面形状を画定する周方向のリムと、
前記閉鎖装置アセンブリの外側カバーの内面から延在する少なくとも１つのキャッチ部材と、
封止部材であって、前記閉鎖装置アセンブリが前記燃料補給管に連結された後に前記周方向のリムが前記少なくとも１つのキャッチ部材と前記封止部材との間に軸方向に挟持されるように、前記閉鎖装置アセンブリの一部を取り囲み且つ前記少なくとも１つのキャッチ部材から軸方向に離間された、封止部材と、
を備えた、燃料補給システム。
【請求項２】
前記周方向のリムは、封止面であって、前記閉鎖装置アセンブリが前記燃料補給管に連結された後に前記封止面が前記封止部材に係合するように湾曲した、封止面を備えた、
請求項１記載の燃料補給システム。
【請求項３】
前記周方向のリムの前記断面形状は角度αで延在する弧を画定し、αは９０度よりも大きい、
請求項２記載の燃料補給システム。
【請求項４】
前記閉鎖装置アセンブリは、前記閉鎖装置アセンブリが前記燃料補給管に連結された後に、外部カラーおよび内部カラーが前記周方向のリムを受ける環状ギャップを画定するように、内部カラーを備える、
請求項１記載の燃料補給システム。
【請求項５】
前記封止部材は、前記内部カラーの半径方向外向きに向く面において画定される周方向の切り欠きを介して、前記閉鎖装置アセンブリに連結される、
請求項４記載の燃料補給システム。
【請求項６】
前記封止部材は「Ｃ字形状」の断面形状を有する、
請求項２記載の燃料補給システム。
【請求項７】
前記封止部材は、可撓性を有するリップ部を有する、
請求項６記載の燃料補給システム。
【請求項８】
前記管端部は内部カラーの外径よりも大きい内径を有する、
請求項１記載の燃料補給システム。
【請求項９】
前記少なくとも１つのキャッチ部材はウェッジ形状を有し、前記閉鎖装置アセンブリが前記燃料補給管に連結されるときに前記周方向のリムが弾性的にたわむことを引き起こす、
請求項１記載の燃料補給システム。
【請求項１０】
前記閉鎖装置アセンブリはキャップレス閉鎖装置を備える、
請求項１記載の燃料補給システム。
【請求項１１】
燃料補給管を供給するステップであって、前記燃料補給管は、第１の端部と、長手方向の軸と、第１の端部から半径方向外向きに延在し且つ非平面的な断面形状を画定する周方向のリムとを含む、ステップと、
閉鎖装置アセンブリを前記燃料補給管に連結するステップであって、前記閉鎖装置アセンブリは、内面を有しかつ当該内面上で方向付けられた少なくとも１つのキャッチ部材を有する外側カバーを含み、円周方向に延在する封止部材は、前記周方向のリムが前記少なくとも１つのキャッチ部材と前記封止部材との間に軸方向に挟持されるように、前記閉鎖装置アセンブリ上で方向付けられ且つ前記少なくとも１つのキャッチ部材から軸方向に離間される、ステップと、
を含む、自動車用の燃料補給システムの組立方法。
【請求項１２】
前記閉鎖装置アセンブリを前記燃料補給管に連結するステップは、
前記周方向のリムが前記少なくとも１つのキャッチ部材に接触するまで、前記燃料補給管を前記閉鎖装置アセンブリの中に挿入するステップと、
前記周方向のリムが前記少なくとも１つのキャッチ部材を通り過ぎることを可能にするに十分な量だけ前記周方向のリムがたわむことを引き起こす所定の力よりも大きい連結力を前記燃料補給管および前記閉鎖装置アセンブリに印加するステップと、を含む、
請求項１１記載の方法。
【請求項１３】
前記封止部材と係合する、前記周方向のリム上において湾曲した封止面を画定するステップを含む、
請求項１１記載の方法。
【請求項１４】
前記周方向のリムの断面形状を、角度αで延在する弧として方向付けるステップであって、αは９０度よりも大きい、ステップを含む、
請求項１３記載の方法。
【請求項１５】
前記閉鎖装置アセンブリ上に内部カラーを配置するステップと、
前記閉鎖装置アセンブリが前記燃料補給管に連結された後に前記周方向のリムを受ける、外部カラーと前記内部カラーとの間の環状ギャップを画定するステップと、を含む、
請求項１１記載の方法。
【請求項１６】
前記封止部材を受ける、前記内部カラーの半径方向に外向き方向に向かって面する面において周方向の切り欠きを配置するステップを含む、
請求項１５記載の方法。
【請求項１７】
「Ｃ字形状」の断面形状を有する前記封止部材を配置するステップを含む、
請求項１５記載の方法。
【請求項１８】
前記封止部材上に可撓性を有するリップ部を画定するステップを含む、
請求項１７記載の方法。
【請求項１９】
前記内部カラーの外径よりも大きな内径を有する管端部を配置するステップを含む、
請求項１５記載の方法。
【請求項２０】
前記閉鎖装置アセンブリが前記燃料補給管に連結されるときに前記周方向のリムが弾性的にひずむことを引き起こす、ウェッジ形状を有する少なくとも１つのキャッチ部材を配置するステップを含む、
請求項１１記載の方法。
【発明の詳細な説明】
【技術分野】
【０００１】
本開示は一般に自動車に関し、より具体的には、自動車用の燃料補給システムの組立方法に関する。
【背景技術】
【０００２】
少なくともいくつかの既知の自動車は、第１の端部において燃料を受けるように適合されるとともに第２の端部において燃料タンクに連結される燃料補給管を使用する、燃料補給システムを備える。燃料補給管の第１の端部は車体に連結され、典型的には、車体の外壁から離間されて画成された凹部内に連結される。外壁に装着されたドアは、当該凹部へのアクセス（接続）を提供する。通常、燃料キャップは第１の端部に着脱可能に連結されて、燃料供給の間にはアクセスを提供するとともに自動車の運転中には第１の端部を閉じる。より最近には、ある自動車は、燃料キャップを取り除くことなく第１の端部へのアクセスを可能にするキャップレス燃料補給システムを備える。少なくともいくつかの既知のキャップレス燃料補給システムは、燃料補給管の第１の端部に連結された閉鎖（クロージャ）装置を備える。より具体的には、少なくともいくつかの自動車燃料補給システムにおいて、閉鎖装置は燃料補給管の第１の端部の中に挿入されて、燃料ポンプノズルがそこに挿入されることを可能にするように方向付けられる。
【発明の概要】
【発明が解決しようとする課題】
【０００３】
少なくともいくつかの既知のキャップレス燃料補給システムにおいて、閉鎖装置は自動車の運転中には燃料補給管を実質的に封止（シール）して、燃料補給管からの燃料蒸気の漏出を実質的に防止するとともに、燃料補給システムへの水またはその他の汚染物質の侵入を実質的に防止する。そのようなキャップレス燃料補給システムでは、車体の外壁に装着されたドア以外には、燃料補給管および／または閉鎖装置へのアクセスをコントロールするための付加的なカバーまたはキャップは使用されない。
【０００４】
少なくともいくつかの既知の燃料補給システムにおいて、閉鎖装置アセンブリは、スナップフィット連結機構を介して、燃料補給管の第１の端部に固定される。スナップフィット連結機構は、燃料補給管の第１の端部上に形成された、周方向に延在して外向きに突出する平面フランジを備える。外向きに突出するフランジは、閉鎖装置アセンブリの外側カバーの内面から内向きに延在する少なくとも１つのキャッチ（留め）部材に係合する。外側カバーの円筒形状部分は、燃料補給管の第１の端部の周囲に嵌合するサイズを有する。閉鎖装置アセンブリを燃料補給管に連結するために、燃料補給管の第１の端部は、燃料補給管の第１の端部上のフランジが少なくとも１つのキャッチ部材を強制的に通り越して当該キャッチ部材に捕獲されるまで、外側カバーの円筒形状部分の中に挿入される。
【０００５】
また、上述のようにスナップフィット構造を有する少なくともいくつかの既知の燃料補給システムにおいて、Ｏリング封止部材は、燃料補給管の内面と閉鎖装置の外面との間に挟入される。Ｏリング封止部材は燃料補給管と閉鎖装置アセンブリとの間に封止を引き起こすために使用されて、燃料補給管からの蒸気の漏出を防止するとともに、燃料補給管への水またはその他の汚染物質の侵入を防止する。
【０００６】
しかしながら、フランジを含む上述のようなスナップフィットアセンブリ構造では、フランジは、組立（アセンブリ）プロセスの間に、永久的に歪むことがある。また、フランジは燃料補給管の端部において高い精度で形成されるために、付加的なおよび／またはより複雑な製作プロセスが伴い、よって製作コストが増加し得る。また、Ｏリングの使用には、特にＯリングが配置される位置において、燃料補給管および閉鎖装置の高い精度での製作が伴う。またさらに、燃料補給システムの組み立て（アセンブル）の間に、Ｏリングは、ねじれまたはその他の歪みを生じ得る。Ｏリングのそのようなねじれまたは歪みは、Ｏリングによって生じる封止に悪影響を与え得る。
【課題を解決するための手段】
【０００７】
一実施形態において、自動車用の燃料補給システムが提供される。本燃料補給システムは、管端部および長手方向の軸を含む燃料補給管を備える。燃料補給システムはまた、管端部と連結可能な閉鎖装置アセンブリを備える。燃料補給システムはまた、管端部から半径方向外向きに延在する周方向のリムを備える。周方向のリムは、非平面的な断面形状を画定する。少なくとも１つのキャッチ部材は、閉鎖装置アセンブリの内面から延在する。封止部材は、閉鎖装置アセンブリの一部を取り囲み、少なくとも１つのキャッチ部材から軸方向に離間される。閉鎖装置アセンブリが燃料補給管に連結された後、周方向のリムは、少なくとも１つのキャッチ部材と封止部材との間に軸方向に挟持される。
【０００８】
もう一実施形態において、自動車用の燃料補給システムの組立方法が提供される。本方法は、燃料補給管を提供するステップを含み、燃料補給管は第１の端部、長手方向の軸、および第１の端部から半径方向外向きに延在し且つ非平面的な断面形状を画定する周方向のリムを含む。本方法はまた、閉鎖装置アセンブリを燃料補給管に連結するステップを含み、閉鎖装置アセンブリは、内面を有しかつ当該内面上で方向付けられた少なくとも１つのキャッチ部材を有する外側カバーを含む。円周方向に延在する封止部材は、周方向のリムが少なくとも１つのキャッチ部材と封止部材との間に軸方向に挟持されるように、閉鎖装置アセンブリ上で方向付けられ且つ少なくとも１つのキャッチ部材から軸方向に離間される。
【０００９】
検討される特徴、機能、および利点は、種々の実施形態において独立に達成可能であり、または、さらに別の複数の実施形態において組み合わせられることができる。これらのさらなる詳細は、以下の説明および図面を参照して理解可能である。
【図面の簡単な説明】
【００１０】
【図１】例示的な自動車燃料補給システムの分解斜視図である。
【図２】図１に示す燃料補給システムの分解側断面図である。
【図３】組み立てられた状態における、図１に示す燃料補給システムの拡大斜視断面図である。
【図４】図１に示す燃料補給システムの側断面図であり、燃料補給システムを組み立てるために実施され得る例示的な方法を示す。
【発明を実施するための形態】
【００１１】
本明細書において説明される複数の燃料補給システムおよび複数の組立方法は、Ｏリングの使用を回避するように、燃料補給管端部内に装着される閉鎖（クロージャ）装置アセンブリを提供することによって、既知の自動車用燃料補給システムの少なくともいくつかの欠点を克服する。したがって、Ｏリングならびに管端部と閉鎖装置アセンブリとの間の封止の対応する継目の、ねじれおよびその他の歪みのリスクは、回避される。また、Ｏリングの使用に関連し得るコストの増加は、回避することができる。本明細書において説明される複数の燃料補給システムおよび複数の組立方法はまた、燃料補給管を閉鎖装置アセンブリに連結するための周方向の平面フランジの使用を回避する。したがって、管端部を閉鎖装置アセンブリに連結する間の平面フランジの永久歪みのリスクはまた、回避される。また、燃料補給管端部上の平面フランジの形成に関連するコストの増加はまた、回避される。
【００１２】
本明細書において用いるように、単数形で、単語「ａ（１つ）」または「ａｎ（１つ）」に続けて記載する構成要素またはステップは、除外を明示的に記載しない限り、複数の構成要素または複数のステップを除外しないものと理解されるべきである。またさらに、本発明の「一実施形態」または「例示的な実施形態」に対する言及は、記載した特徴を同様に組み入れた付加的な複数の実施形態の存在を除外するものとして解釈されることを意図するものではない。
【００１３】
図１〜３は、例示的な燃料補給システム１０を示す。特に、図１は、燃料補給システム１０の斜視分解図を示す。図２は、燃料補給システム１０の側断面図である。燃料補給システム１０は、燃料補給管１２を備える。例示的な実施形態において、燃料補給管１２は少なくとも１つの金属材料から製作される。別の複数の実施形態において、燃料補給管１２は、燃料補給システム１０が本明細書に記載のように機能することを可能にする任意の適切な材料から製作される。燃料補給管１２は、管端部１４を備える。周方向のリム１６は、管端部１４から外向きに延在する。リム１６は、角度αをカバーする弧を描く湾曲した断面形状を有する。例示的な実施形態において、角度αは、図２に示すように、少なくとも９０度である。別の複数の実施形態において、角度αは、燃料補給システム１０が本明細書に記載のように機能することを可能にする任意の値を有する。さらに、リム１６は滑らかに湾曲した断面形状を有して図示されるが、別の複数の実施形態では、リム１６は、リム１６が本明細書に記載のように機能することを可能にする任意の非平面的な断面形状を有する。非平面的な形状、特に湾曲した断面形状を有するリム１６を提供することによって、当該リム１６は、同等の大きさを有する周方向に延在する平面フランジまたは平坦なフランジに比較して、より高い強度と剛性を備える。
【００１４】
燃料補給システム１０はまた、閉鎖装置アセンブリ１８を備える。アセンブリ１８は、燃料補給管１２の中への挿入の後に閉鎖装置アセンブリが燃料補給管１２を選択的に封止して、燃料補給管１２からの燃料蒸気の漏出を実質的に防止するとともに燃料補給システム１０への水またはその他の汚染物質の侵入を実質的に防止するように、構成される。
【００１５】
例示的な実施形態において、本明細書において特に記載する場合を除いて、閉鎖装置アセンブリ１８は、キャップレス構成を含む、燃料補給システム１０が本明細書に記載のように機能することを可能にする任意の適切な構成を有する。さらに、例示的な実施形態において、閉鎖装置アセンブリ１８は、閉鎖装置アセンブリ１８が本明細書に記載のように機能することを可能にする金属製の材料、非金属製の材料、またはその他の材料の任意の組み合わせから製作される。
【００１６】
閉鎖装置アセンブリ１８は、シリンダ形状の外側カバー２２に連結される閉鎖装置２０を備える。外側カバー２２は、リム１６の外径Ｅよりも大きい内径Ｄを有する。外側カバー２２は、外側カバー２２の内面２６から内向きに突出する複数のキャッチ部材２４を備える。複数のキャッチ部材２４は、内面２６の周囲に周方向に配置される。また、複数のキャッチ部材２４はウェッジ形状（Ｖ字形状）を有し、本明細書においてさらに詳細に説明されるように、管端部１４の閉鎖装置アセンブリ１８への連結を促進する。例示的な実施形態では、図２に示すように２つのキャッチ部材２４が含まれる。しかしながら別の複数の実施形態では、燃料補給システム１０が本明細書に記載のように機能することを可能にする任意の数のキャッチ部材２４が含まれてもよい。閉鎖装置２０はまた、内部カラー（つば）３２を備える。またさらに、周方向の切り欠き（ノッチ）２８は、内部カラー３２の、外向き方向に向かって面する面３０において画成される。切り欠き２８は、複数のキャッチ部材２４から軸方向に離間される。
【００１７】
周方向に延在する封止部材３４は、閉鎖装置２０に連結され、切り欠き２８内に部分的に位置決めされる。したがって、封止部材３４の少なくとも一部は同様に、複数のキャッチ部材２４から軸方向に離間される。封止部材３４は、燃料補給システム１０が本明細書に記載のように機能することを可能にする任意の適切な弾性材料から製作される。例示的な実施形態において、封止部材３４は、厚さが変化する、湾曲した「Ｃ字形状」の断面形状を有する。封止部材３４の（図４に示す）可撓性を有するリップ部４４は、リム１６に向けて方向付けられる。リップ部４４は、減少する断面厚さを有する。別の実施形態（図示せず）において、リップ部４４は一定の断面厚さを有し、当該断面厚さは封止部材３４の残りの部分よりも薄い。例示的な実施形態において、封止部材３４の「Ｃ字形状」の断面は、内部カラー３２の面３０と比較して、外向きに開くように方向付けられる。
【００１８】
例示的な実施形態において、管端部１４は、内部カラー３２の外径Ｇよりも大きい内径Ｆを有する。さらに、リム１６の外径Ｅは外側カバー２２の内径Ｄよりも小さく、リム１６と内面２６との間に円筒形状の隙間が設けられる。複数のキャッチ部材２４は、管端部１４の閉鎖装置アセンブリ１８の中への挿入のときにリム１６が複数のキャッチ部材２４に接触するに十分な距離だけ、内面２６から内向きに突出する。
【００１９】
図３は、組み立てられた状態の、燃料補給システム１０の拡大斜視断面図である。（図１および２に示す）封止部材３４は、図示の簡単のために図３からは省略されている。組み立てられた方向において、リム１６は、閉鎖装置アセンブリ１８の少なくとも１つのキャッチ部材２４と内部ショルダ３６との間に挟持される。例示的な実施形態において、リム１６と内面２６との間の接触は管端部１４と閉鎖装置２０との間の封止を確立するためには使用されないため、リム１６は外側カバー２２の内面２６から小さな距離だけ離間される。
【００２０】
図４は、燃料補給システム１０の例示的な組立方法を示す。図４の上側部分は、管端部１４が閉鎖装置アセンブリ１８に連結される前の燃料補給システム１０を示す。図４の下側部分は、管端部１４が閉鎖装置アセンブリ１８に連結される前の燃料補給システム１０を示す。したがって、図４の下側部分において、燃料補給システム１０は完全に組み立てられている。閉鎖装置アセンブリ１８および燃料補給管１２は、共通の中心軸ＣＬを共有する。
【００２１】
図４の上側部分に示すように、燃料補給システム１０は、管端部１４を閉鎖装置アセンブリ１８の中にまず挿入することによって、組み立てられる。閉鎖装置アセンブリ１８はドア４０を備え、当該ドア４０は、燃料ポンプノズル（図示せず）が閉鎖装置アセンブリ１８の中に挿入されるときに、燃料補給管１２の中へ延在する。閉鎖装置アセンブリ１８の他の部分は、図示の明確性のために、図４から省略されている。リム１６は、外側カバー２２と（図２に示す）内部カラー３２との間に画成される環状ギャップ４２の中に挿入される。したがって、外側カバー２２が管端部１４を取り囲む間、内部カラー３２は管端部１４の内側に挿入される。
【００２２】
管端部１４の閉鎖装置アセンブリ１８の中への挿入を続けると、上述のように、リム１６が複数のキャッチ部材２４に接触する。例示的な実施形態において、リム１６は、管端部１４および閉鎖装置アセンブリ１８が所定の大きさの力よりも大きな大きさの連結力を用いて互いに押し付けられるときに、リム１６の少なくとも一部が内側に向かってわずかにたわむように、構成される。リム１６のたわみは、リム１６が複数のキャッチ部材２４に押されて複数のキャッチ部材２４の後部に位置することを可能にする。リム１６が複数のキャッチ部材２４を通り過ぎた後、燃料補給管１２およびリム１６は、図４の下側半分に示すように方向付けられる。例示的な実施形態において、リム１６は、リム１６のあらかじめたわめられた部分が、リム１６の著しい永久歪みを生じることなく、図１〜３に示すようにその元の位置に戻るように、製作される。
【００２３】
燃料補給管１２が閉鎖装置アセンブリ１８の中に挿入されて、リム１６が複数のキャッチ部材２４に押されて複数のキャッチ部材２４の後部に位置すると、リム１６の封止（シーリング）面３８は、図４の下側部分に示すように、封止部材３４の可撓性を有するリップ部４４に接触して当該可撓性を有するリップ部４４をたわめる。したがって、封止面３８とリップ部４４との間に、面接触封止が生じる。封止部材３４は、結果として得られる封止に悪影響を与える可能性がある望まれない歪みの影響を、Ｏリングよりも受けにくい。例示的な実施形態において、リム１６、キャッチ部材２４、および封止部材３４は、管端部１４が閉鎖装置アセンブリ１８の中に完全に挿入された後に、きつい（タイトな）封止と確実な機械的連結との両方が管端部１４と閉鎖装置アセンブリ１８との間に提供されるように、構成される。
【００２４】
上述の複数のシステムおよび複数の方法は、既知の複数の燃料補給システムの少なくともいくつかの欠点を克服する。より具体的には、本明細書において説明される燃料補給システムは、周方向に延在する平面フランジの代わりに、燃料補給管上の湾曲したリムを使用する。このことは、燃料補給管の製作のための、廉価な作製装置およびプロセスの利用を促進する。湾曲したリムは、向上した強度と、燃料補給システムの組み立ての間の永久歪みに対する耐性とを有する。また、湾曲したリムは、リムと封止部材との間の面接触封止を規定する封止面を提供する。またさらに、本明細書において説明される燃料補給システムは封止部材を使用して、Ｏリングと比較してより確実な且つ望まれない歪みの影響をより受けにくい面接触封止を引き起こす。
【００２５】
燃料補給システムおよびその組立方法の例示的な実施形態は、詳細に上述された。本システムおよび本方法は、本明細書において説明された特定の実施形態に限定されず、むしろ、システムの構成要素および／または方法のステップは、本明細書において説明された他の構成要素および／またはステップから独立して且つ分離して利用されることができる。例えば、システムはまた、他の製造システムおよび製造方法と組み合わせられて使用されることができ、本明細書に記載の製造システムおよび製造方法のみを用いて実施されることに限定されない。むしろ、例示的な実施形態は、多くの他の自動車組立システムアプリケーションと関連して実施および使用されることができる。
【００２６】
本発明の種々の実施形態の特別な特徴は、いくつかの図面において示され他の図面においては示されない場合があるが、これは単に便宜のためである。本発明の本質にしたがって、図面のいかなる特徴も、いかなる他の図面のいかなる特徴と組み合わせて参照されることができ、および／または、特許請求の範囲において請求されることができる。
【００２７】
この明細書は、ベストモードを含め本発明を開示するために、また、任意の装置またはシステムを作製または使用することおよび導入された方法を実施することを含め本発明を任意の当業者が実施することを可能とするために、複数の実施例を用いる。特許可能な本発明の範囲は特許請求の範囲によって定義され、当業者が想到する他の実施例を含む場合がある。そのような他の実施例は、それらが特許請求の範囲の文言と異ならない構造要素を有する場合、またはそれらが特許請求の範囲の文言からの非実質的な差異を有する均等な構造要素を含む場合、特許請求の範囲内にあることを意図したものである。
【図１】
2015071408.tif 000003
【図２】
2015071408.tif 000004
【図３】
2015071408.tif 000005
【図４】
2015071408.tif 000006
【外国語明細書】
2015071408.tif 000007
2015071408.tif 000008
2015071408.tif 000009
2015071408.tif 000010
2015071408.tif 000011
2015071408.tif 000012
2015071408.tif 000013
2015071408.tif 000014
2015071408.tif 000015
2015071408.tif 000016
2015071408.tif 000017
2015071408.tif 000018
2015071408.tif 000019
2015071408.tif 000020
2015071408.tif 000021
2015071408.tif 000022
2015071408.tif 000023